(57)【特許請求の範囲】
【請求項１】
ニードルボード（２）のための運搬カート（１）であって、
回転ホイール（１４，１５，１６，１７）を有するベースフレーム（９）と、
前記ニードルボード（２）のための収容装置（８）とを含み、前記収容装置（８）が、前記ニードルボード（２）の縁（６）に適合された収容要素（４６）を有し、且つ、前記ニードルボード（２）を前記収容装置（８）に固定するための少なくとも１つのロック手段（４９，６７）を有する運搬カートであって、
前記収容装置（８）が少なくとも１つの方向（Ｖ）にて調節可能であるように前記ベースフレーム（９）により支持され、
さらに、前記収容装置（８）が少なくとも第１軸（２２）を中心として前記ベースフレーム（９）に対して枢動可能であるように支持されており、これにより前記ニードルボード(２)が水平位置及び鉛直位置となるよう枢動されることを特徴とする、運搬カート。
【請求項２】
前記収容装置（８）が前記第１軸に直交する第２軸（２３）を中心として前記ベースフレーム（９）に対して枢動可能であるように支持されていることを特徴とする請求項１に記載の運搬カート。
【請求項３】
前記収容装置（８）が作動装置（４２）に関連付けられ、前記作動装置（４２）が、１つの作動運動により、前記第１軸及び前記第２軸（２２，２３）を中心とした前記収容装置（８）の枢動運動を行うことを特徴とする請求項１又は２に記載の運搬カート。
【請求項４】
前記収容装置（８）が、互いに対して平行に配置された２つのプロファイルレール（４７，４８）を有し、前記プロファイルレールが前記ニードルボード（２）の対向する長縁（６，７）を把持するように配置されていることを特徴とする請求項１から３のいずれか一項に記載の運搬カート。
【請求項５】
前記プロファイルレール（４７，４８）間の距離が調節可能であることを特徴とする請求項４に記載の運搬カート。
【請求項６】
前記プロファイルレール（４７，４８）の一方が保持位置と解放位置との間で枢動可能であるように支持されていることを特徴とする請求項４又は５に記載の運搬カート。
【請求項７】
前記ロック手段（６７，６８）が前記ニードルボード（２）の角部又は短縁（４，５）上に設けられた止め部（６５，６６）であることを特徴とする請求項１から６のいずれか一項に記載の運搬カート。
【請求項８】
前記止め部（６５，６６）が、ロック位置と解放位置との間で移動可能であるように支持されたロック部材（７０）を含むことを特徴とする請求項７に記載の運搬カート。
【請求項９】
前記ロック部材（７０）は、ニードルボード（２）が止め部（６５，６６）の外部から入ってくるときに、前記ロック部材（７０）の開放位置へとニードルボード（２）により移動されることができることを特徴とする請求項８に記載の運搬カート。
【発明の詳細な説明】
【技術分野】
【０００１】
本発明は、フェルト製造機にて用いられるようなニードルボードを運搬し、且つ取り扱うための運搬カートに関する。
【背景技術】
【０００２】
ニードルボードを含むフェルト製造機がフェルト製造に用いられる。このようなニードルボードは大きいプレート状の部品であり、このプレートに、プレートの１つの面から突出する複数のフェルト製造ニードルが設けられている。このようなニードルボードの１以上がフェルト製造機に用いられるが、多くの場合、多数のニードルボードが、保管場所にて、必要なときにすぐにフェルト製造機に設置でき、またフェルト製造機から取り外されることができる状態にされている。フェルト製造ニードルは消耗部品である。従ってフェルト製造ニードルは時々交換されなければならない。これは適切な自動ローダを用いて行われ、この自動ローダ内に必要に応じてニードルボードが移送され、また自動ローダからニードルボードが取り出される。ニードルボードは、数キログラムの、例えば５０ｋｇ以上のかなりの重量を有することがあり、また、寸法が大きいことがある。一方で、フェルト製造ニードルは比較的傷つきやすく、運搬又は保管中に損傷されてはならない。フェルト製造ニードルの１以上において、最小限の曲がりさえも許容されない。一方で、フェルト製造ニードルは、非常に鋭利な先端、鋭利なエッジを有することが多く、且つ／又はバーブを備えているため、傷害をもたらす危険性が高い。
【発明の開示】
【発明が解決しようとする課題】
【０００３】
本発明の目的は、ニードルボードを慎重に且つ危険性なく運搬することを可能にすることにある。
【課題を解決するための手段】
【０００４】
この目的は、請求項１に記載されている運搬カートにより達成される。
【０００５】
本発明に従う運搬カートは、回転ホイールを有するベースフレームを含み、従って、カートは、工場のフロア上を、手動で、或いは、随意には、取り付けられ又は一体化された駆動装置によっても移動され得る。好ましくは、回転ホイールは自由回転する。これらのホイールの１以上に、駆動装置、ブレーキ装置などを付することも可能である。
【０００６】
運搬カートのベースフレームは、ニードルベッドのための収容装置を支持する。この収容装置は、ニードルボードの縁に適合された少なくとも１つの収容要素、及び、ニードルボードを収容装置内に固定するための少なくとも１つのロック装置を含む。これは、ニードルボードがニードルボードの縁にてのみ把持され、複数のフェルト製造針が延在している面には接触されないことを可能にする。従って、収容装置は、ニードルボードをニードルボードの縁に沿って把持及び保持するように既に構成されている。さらに、収容装置は、ニードルボードを収容位置に固定するように配置されたロック手段を含む。こうして、ニードルボードは、例えば保存場所にて取り出され、そこから自動ローダ又はフェルト製造機に、ボードを損傷する危険性及び人員を傷つける危険性を有さずに転動(rolled)されることができる。同様に、ニードルボードは、自動ローダ又はフェルト製造機械上に、別の場所へと転動されるために収容され得る。
【０００７】
好ましくは、収容装置は、少なくとも１つの方向にて調節可能であるようにベースフレームにより支持される。この方向は、例えば鉛直方向である。これは、ニードルボードがフェルト製造機又は自動ローダに移されることを容易にする。収容装置の高さは、ニードルボードが自動ローダ又はフェルト製造機にてセットされ、次いで収容装置から水平路に沿ってフェルト製造機又は自動ローダ内に移動される高さに簡単に調節される。これは、操作者の作業を、特にニードルボードの重量が大きい場合に容易にする。手動の又はモータ駆動による装置を有する、油圧式リフティング装置、スピンドルタイプのリフティングギヤシステムなどが用いられ得る。
【０００８】
好ましくは、収容装置は、ベースフレームに対して少なくとも１つの軸を中心として枢動可能であるように支持される。好ましくは、この軸は、ニードルボードの長縁を横切る方向に向けられた水平軸であり、好ましくは、ニードルボードの短縁に対してほぼ平行である。こうして、収容装置により受け入れられた、例えば２メートルの長さを有するニードルボードが、容易な運搬を可能にするために鉛直位置まで枢動されることができる。こうすることにより、使用場所に空間的な制約条件があったとしても運搬が可能である。
【０００９】
好ましくは、収容装置は、少なくとも第２の軸を中心として枢動可能であるように支持される。この第２軸は傾斜軸ともみなされ得る。この傾斜軸は、好ましくは、ニードルボードの長縁に対して平行に、従って、第１軸を横切る（好ましくは直角に）方向に向いている。好ましくは、第２枢動軸は、収容要素の付近に、すなわち、ニードルボードの長縁の付近に延在する。こうすることで、ニードルボードは鉛直位置に、又は傾斜位置にも移動されることができ、この位置にて、前記ニードルボードは、例えば自動ローダ内に移動されることができる。
【００１０】
好ましくは、少なくとも１つの作動装置が設けられ、この作動装置は、収容装置を、第１軸及び／又は第２軸を中心として目標位置に向うように枢動させるように用いられることができる。好ましくは、作動装置は、手動で作動される装置である。しかし、モータ駆動装置を設けることも可能である。好ましくは、作動装置はセルフロック式であり、すなわち、作動装置は、収容装置が一度セットされたならばその位置に、収容装置に作用する力とはほぼ独立に収容装置を保持する。例えば、作動装置は、力を作動部材（例えばハンドホイール）から収容装置に伝達するために用いられるウォームギヤ又は別のセルフロック式ギヤを含む。
【００１１】
好ましくは、作動時に収容装置を、第１軸を中心とするだけでなく第２軸も中心として枢動させる作動装置が設けられる。この結果、ニードルボードが収容位置から運搬位置に、単一の作動装置を作動させることにより枢動されることができる。収容位置においては、ニードルボードは、例えば水平方向に保持され、運搬位置においては、前記ボードは鉛直方向に保持される。すなわち、運搬カートは、収容装置を、ニードルボードのための、好ましくは選択可能な収容位置と、ニードルボードのための運搬位置との間で調節するために用いられることができる調節装置を有する。収容位置は運搬位置に対して、好ましくは、前記２つの軸の少なくとも一方を中心とした９０度回転分だけ異なる。ニードルボードは、水平にした状態で受け入れられ、配送され得るが、直立位置にて運搬される。
【００１２】
収容要素（例えば第１のプロファイルレール(profile rail)である）は、例えば、ニードルボードの長縁の一方に、好ましくは、ニードルボードの長縁の中央部にのみ留め付け(dock)られる。収容手段は、収容要素（すなわち、例えばプロファイルレール）に加えて、これもまたプロファイルレールとして構成され得るロック手段を含む。この第２プロファイルレールも、ニードルボードを、好ましくはニードルボードの長縁に沿って把持する。好ましくは、第２プロファイルレールの、第１プロファイルレールからの距離は、様々なニードルベッド幅に適合させることを可能にするように調節可能である。さらに、第２のプロファイルレールは、好ましくは保持位置と解放位置との間で枢動可能で且つ調節可能であるように支持される。好ましくは、前記レールは両方の位置にてロックされることができる。第２プロファイルレールは、好ましくは、保持位置と解放位置との間で、ニードルボードの長縁に対して平行な枢動軸を中心に枢動される。この結果、ニードルボードは、ニードルボードの長縁に対して平行に移動されるだけでなく、随意に、前記縁を横切る方向に移動されて、収容装置内に入れられ、また収容装置から出されることができる。
【００１３】
ロック手段が、好ましくは、ニードルボードの短縁上に、及び／又はニードルボードの角部に配置される。例えば、ロック手段は、移動可能に支持されたロック部材から成り、ロック部材は、例えば、収容装置から遠ざかるように延在するテレスコープ状に伸縮可能なアームにより支持された、係合タイプの手段のように構成されている。ロック部材は、ニードルボードの平坦な側部に対して垂直方向に移動可能であるように、且つ、ロック部材のロック位置にばね付勢されるように支持され得る。ロック部材が、（ニードルボードに面する側に）ニードルボードのスライド方向を横切るように配置されているロック面を有し、且つ、ロック部材が、（ニードルボードから遠い方の側に）傾斜面を有するならば、ニードルボードを収容装置内に、ニードルボードの長縁に対して平行に移動しようとする場合、ロック部材はニードルボードにより移動されることができ、この場合、前記ロック部材は、ニードルボードの後ろで係合してニードルボードを所定位置にロックすることになる。
【００１４】
有利な実施形態のさらなる詳細が、特許請求の範囲、図面又は詳細な説明から明らかである。詳細な説明は、本質的に、本発明の本質的な態様及び種々の状況に限定される。図面はさらなる詳細を開示し、且つ、詳細な説明を補助する。
【発明を実施するための最良の形態】
【００１５】
図１は、少なくとも１つのニードルボード２のための運搬カート１を示す。ニードルボード２は、複数のフェルト製造ニードル２を有するプレート状の物体である。フェルト製造ニードルは、ニードルボード２の平坦な側部から直角に延在し、且つ、ニードルボード２上に保持されている。ニードルボード２は、２つの短縁４，５及び２つの長縁６，７を有する矩形の外形を有する。ニードルボード２は収容装置８内に保持されており、収容装置８は運搬カート１のベースフレーム９により保持されている。このカートは足部１０を有し、足部１０から鉛直方向に、支柱１１が延在している。足部１０は、例えば、間隔を有して配置された２本のサイドレール１２，１３を有し、これらのサイドレールの自由端にローラ１４，１５が設けられ、或いはローラの代わりに、調節可能な足が設けられる。サイドレール１２，１３の他端は互いに連結されており、これらの端部にもローラ１６，１７が設けられている。運搬カート１を移動するために、図２から明らかであるように、１以上のハンドル１８，１９，２０が設けられる。
【００１６】
支柱１１に収容装置８が、固定された高さにて、又は、より好ましければ、図１の矢印Ｖで示されているように鉛直方向に調節可能に取り付けられる。この鉛直方向の調節に関連する調節機構は詳細には図示しない。支柱１１と実際の収容装置８との間に調節機構２１が存在する。調節機構２１は、図１においては閉じられた状態が示されており、図２ではフードが取り外された状態で示されている。調節機構２１は、収容装置８を、少なくとも１つの、好ましくは２つの軸２２，２３（図１）を中心として調節することを可能にする。軸２２は、好ましくは短縁４，５に対してほぼ平行に延在し、且つ水平方向に向けられている。この軸を枢動軸とも称する。軸２３は、好ましくは水平であり、且つ、ニードルボード２の長縁６，７に対して平行である。この軸２３を傾斜軸とも称する。関連する調節装置２１が、図８に概略的に示されている。調節装置２１は、中空シャフト２５上に保持された支持部２４を含む。この中空シャフトは、支持要素２６内にて回転可能に支持されている。支持要素２６は、支柱１１に直接、又は間接的に連結されている。シャフト２７が中空シャフト２５を通って延在し、前記シャフト２７は、その一端に、フォーク形状の支持部２４の中間空間にてベベルギヤ２８を有する。このベベルギヤは、シャフト３０に固定されるように連結された別のベベルギヤ２９と係合している。シャフト３０は軸２３に対して同心状に配置され、且つ、支持部２４内で回転可能であるようにシャフト３０の両端にて支持されている。シャフト２７は、軸２２に対して同心状に配置され、且つ、中空シャフト２５内で回転可能であるように支持されている。シャフト３０は、保持装置８を支持するアーム３１，３２に、捩れを生じないように連結されている。
【００１７】
シャフト２７の、ベベルギヤ２８から離れている側の端部が、ギヤドライブ３６に、好適なギヤ手段（例えば、チェーンホイール３３，３４、及びチェーン３５）により連結されており、前記ギヤドライブは、ハンドルホイール３７を備えた入力シャフトを有する。ギヤドライブ３６は、好ましくは、セルフロック式ギヤ、例えばウォームギヤである。
【００１８】
チェーンホイール３４に隣接した中空シャフト２５の端部も、ギヤ手段（例えば、２つのチェーンホイール３８，３９及びチェーン４０）を介してギヤドライブ４１に連結されており、前記ギヤドライブの入力シャフトにはハンドホイール４２が備えられている。ギヤドライブ４１は、好ましくは、自己抑制式ギヤドライブ、例えばウォームギヤである。概して、それぞれの作動装置、ハンドホイール３７，４２から、支持部２４又はアーム３１，３２の形態であるそれぞれの出力へのギヤ減速比は、好ましくは、等倍から２０倍である。ウォームギヤ、チェーンホイールギヤドライブ及びローラチェーンを有するギヤ手段を用いる代わりに、他の手段、例えば、歯車付きギヤドライブ、歯車付きベルト、連結されたシャフト、レバードライバ、又はこれらの伝達手段の組合せを用いることも可能である。
【００１９】
収容装置８は、第２軸２３を横切る方向に延在する２本の平行な支持アーム４４，４５を有するフレーム４３を含む。これらのアームには、ニードルボード２に面する側部に、例えば摩擦低減プラスチックコーティングが施されている。フレーム４３は、図２〜図６に示されているように、例えば、プロファイルレール４７として構成されている収容要素４６を支持し、前記レールは長縁６に対して平行に延在し、従って、第２軸２３に対して平行に延在する。プロファイルレール４７は、ニードルボード２の縁に適合され、又は縁６の形状に適合されている。前記レールはニードルボード２の縁の上に延在し、プロファイルレール４７の内側には、前記ニードルボードが前記レールに対して平行に移動されることができるように十分な遊隙が設けられている。
【００２０】
プロファイルレール４７に対向して、プロファイルレール４８の形態の収容要素が配置されており、プロファイルレール４８は、ニードルボード２を収容装置８内の所定位置に保持及び固定するためのロック手段４９として作用し得る。プロファイルレール４８は、好ましくは、軸５０を中心として枢動可能であるように支持され、軸５０はニードルボードの縁７に対して平行に向けられ、従って、プロファイルレール４７，４８に対して平行に向けられている。従って、図６の矢印により示されているように、プロファイルレール４８は、図３に示した保持位置と図４に示した解放位置との間で枢動されることができる。好ましくは、前記レールは、これらの両方の枢動位置にてロックされ得る。これを達成するために、例えばロック装置５１が設けられる。１つのロックピン５４，５５が、プロファイルレール４８の２つの脚５２，５３のそれぞれに配置されており、前記ピンは、それらの長手方向に移動可能である。脚５２，５３は収容装置５６，５７上に支持されており、これらの装置には、ロックピン５４，５５の係合のために配置された穴が設けられている。これにより、フロントクランプバーとして機能するプロファイルレール４８が所定位置に固定される。穴の位置が、２つの位置、すなわち、「保持位置」("holding position")（又は「ロック位置」("locked position")とも称する）と、「解放位置」("relrase position")（又は「開放位置("open position")」とも称する）とを予め特定する。２つのロックピン５４と５５とは、中央の回転ノブ５８により、２本のロッドを介して互いに連結されている。１つの回転ノブ５８が１本のシャフトの各端にそれぞれ設けられている。これにより、前記ノブは２つの側からアクセス可能であり、こうして操作を容易にする。回転ノブ５８は、ばね力により、ロックピン５４，５５がロックピンための穴に延在する角度位置に保持される。回転ノブを９０度回転させることにより、２本のロッドは２つのロックピン５４，５５を穴から引き出し、そしてプロファイルレール４８は枢動され得る。回転ノブ５８の回転角度は適切な止め部により制限される。
【００２１】
収容要素４６，４７は、これらの収容要素の長手方向に対して調節可能であるように（図６における矢印を参照）、アーム４４，４５上に保持される。この線状の調節により、プロファイルレール４７とプロファイルレール４８との距離を所望のように設定することができ、こうして、異なる幅を有するニードルボード２に適合させ得る。
【００２２】
フレーム４３から、互いに遠ざかる方向に、好ましくはニードルボード２の長縁６に対して平行に、テレスコープ状に伸縮可能なアーム５９，６０が延在している（図１）。アーム６０は、それぞれの調節位置に、手動で調節可能なクランプレバー６１，６２により固定されることができる。アーム５９，６０の上側の鏡面対称スケール６３，６４（図２）が、ニードルボード２の特定の長さに対応するアーム５９，６０のセット長さを示す。フレーム４３の開口部のリム（縁）により、読み取りエッジ(reading edge)が形成され、この開口部内にそれぞれのアーム５９，６０が挿入される。好ましくは、スケールは、２つのアーム５９，６０に同一の値が設定されたときにニードルボード２が収容装置８内の中央に配置されるような寸法につくられる。
【００２３】
アーム５９，６０は、その端部に止めユニット６５，６６を有し、これらのユニットの各々がロック手段６７，６８として作用する。このロック手段は、ニードルボード２の角部、すなわち短縁４，５に留め付けられ(dock)、ニードルボード２のための長手方向の止め部として作用する。止めユニット６５は、図７（Ａ）〜図７（Ｄ）に示されているようなユニットである。止めユニット６５はガイド体６９を含み、このガイド体内に、ロックボルト７０として構成されたロック部材が、ニードルボード２の挿入方向（矢印７１により示されている）を横切る方向に、移動可能であるように支持されている。ロックボルト７０はロック位置においてばね手段７２により付勢されている。ロックボルト７０は、好ましくは本質的に円筒状であり、ロックボルト７０の、前記ニードルボードの挿入方向に対して外に向いた側に傾斜面７３が設けられ得る。
【００２４】
フレーム４３に、ニードルボード２に取り付けられ且つニードルボード２に対して平行に保持される保護カバー７４が設けられる。図２から明らかであるように、前記カバーは２つの曲管７５，７６により保持され、これらの管の端部はフレーム４３に固定されている。保護カバー７４はニードルボード２を損傷から保護する。特に、フェルト製造ニードルの先端が損傷に対して保護される。また、保護カバー７４は、人々のための安全ガードをもたらす。人々がフェルト製造ニードルの先端に偶然に接触することが防止される。
【００２５】
図２及び図５に従えば、保護カバー７４は３つの部分７７，７８，７９から成り、部分７７と部分７９とは設計が同一である。保護カバー７４は、フレームに取り付けられた透明な窓ガラス（ペイン）を有する。中央部分７８はフレーム８０に保持されている。フレーム８０はガイド溝を有し、このガイド溝内に、部分７７，７９が、移動可能に保持されている。詳細には図示されていないクランプ手段が、部分７７，７９をそれぞれの引き出し位置に固定するために用いられる。こうして、保護カバー７４の長さはニードルボード２の長さに適合されることができる。また、保護カバー７４とニードルボード２との距離も調節可能にすることができる。これを行うために、管７５，７６は適切なホルダ上に着座されて、クランプねじ８１により所定位置に固定され得る。或いは、クランプねじ８１の代わりに適切な係合手段が設けられ得る。保護カバーの部分７７，７９の固定に関しても同様であり、前記部分７７，７９も、それぞれの引き出し位置に係合手段により固定され得る。
【００２６】
上記の運搬カートは、以下の様に動作される。
【００２７】
最初に、運搬カート１の高さが必要に応じて調節される。この調節を行う際に、収容装置８は、油圧手段により調節されても、或いは、ねじスピンドル又は類似の手段により調節されてもよい。例えば、ハンドル１８が、リフト機能を可能にするポンプレバーとして作用し得る。降下させるためには、ドレンバルブが回転ノブにより開放され得る。このノブは弾性的に支持され得るため、回転ノブが解放されると、前記ノブは自動的にロック位置に配置され、ドレンバルブが閉鎖される。
【００２８】
ニードルボード２を、ニードル先端が上向きになる水平位置に収容しようとする場合には、ハンドホイール３７，４２を作動させることにより、フレーム４３を、図２に示されているように、すなわち保護カバー７４がフレーム４３より上になるように回転させる。前方プロファイルレール４８を枢動させて、図４に示されているプロファイルレール４８の解放位置に配置する。ここで運搬カート１を、収容されるべきニードルボード２より下に収容装置８が位置するように移動させる。そして、収容装置８を、ニードルボード２がその支持場所から取り上げられるようにリフト機能を用いて持ち上げる。こうして、ニードルボード２は、収容装置８の全支持面の上に配置される。そして、ニードルボード２を、２つの止めユニット６５と６６との間に手動により配置する。アーム５９，６０が、ニードルボードの長さに合わせて随意に調節される。これを行う際に、ニードルボード２を、その長手方向における適切な位置に固定する。さらに、ニードルボード２を、後方プロファイルレール４７の凹部に押し込む。この後、前方プロファイルレール４８を、そのロック位置（図３に示した位置）へと枢動させる。こうして、ニードルボード２は、各方向にて適切な位置に固定される。
【００２９】
ニードルボードを運搬しようとする場合には、ニードルボードを、ニードルボードの水平位置から鉛直位置へと枢動させる。これは、ハンドホイール４２を作動させることにより達成される。ギヤドライブがセルフロック式であるため、中空シャフト２５が回転されてもシャフト２７は回転しない。ニードルボード２が軸２２を中心としてニードルボード２の水平位置から鉛直位置へと枢動されているとき、軸２３は、同時に傾斜運動を実行している。なぜなら、この枢動が行われる際に、歯車付きホイール２９が歯車付き不動ホイール２８に対し回転(roll off)するからである。
【００３０】
この結果、ニードルボードの重心が支柱１１のより近くに移動され、それにより、運搬カート１の、要求される所望の安定性が達成又は補助される。
【００３１】
ニードルボード２を積置(deposit)しようとする場合には、ニードルボード２をハンドホイール４２の逆動作により再び枢動させてニードルボード２の水平位置へと配置する。前方プロファイルレール４８のロックを開放する。次いで、収容装置８に配置されたニードルボード２を所望の保存場所より上に配置する。その後、ニードルボード２を後方プロファイルレール４７のＵ字状収容部から僅かに押し出す。ここでニードルボード２を運搬カートにより降下させ、こうしてニードルボード２の保存部位に積置させる。
【００３２】
ニードルボード２を自動ローダから移動させる場合には、先に述べたような軸２２の方向におけるニードルボード２の挿入移動は行われずに、好ましくは軸２３の方向における移動が行われる。これを行うために、フレーム４３を水平位置に移動させる。プロファイルレール４８はロック位置になっている。運搬カート１を自動ローダの隣に、自動ローダ内のニードルボード２の高さ及び位置合わせが収容装置８の高さ及び位置合わせと合致するように配置する。ニードルボード２は自動ローダ内に水平方向に配置されている。ニードル先端は下方を向いている。保護カバー７４は、図１に示されているようにフレーム４３より下にある。ここで、ニードルボード２を運搬カート１の収容装置８内に手動作で押し込む。この際、ニードルボード２は、図７（Ａ）及び図７（Ｂ）に示されているように止めユニット６５へと押し進められる。ニードルボード２の縁５上の面が傾斜面７３に向って移動され、図７（Ｃ）に示されているようにロックボルト７０を押しのける。ニードルボード２をさらに押すと、ニードルボード２はプロファイルレール４７，４８のガイド溝に接触し、ニードルボード２は、さらに、止めユニット６６に当接するまで押される。ここで、止めユニット６５のロックボルト７０は、図７（Ｄ）に示されているようにロック位置に跳ね戻る。２つの止めユニット６５，６６の２つのロックボルト７０の円筒状面が、ニードルボード２をこれらの円筒状面の間に保持する。そして、ニードルボード２はこの水平位置に安全に保持されて運搬されることができ、或いは、ニードルボードの鉛直位置へと枢動された後に、ニードルボードの鉛直位置にて運搬されることができる。
【００３３】
ニードルボード２を自動ローダ内に配置しようとする場合には、収容装置８を、図１に示した水平位置へと運ぶ。これを行う際に、運搬カート１を、自動ローダの隣に、運搬カート１の収容装置と、自動ローダの収容ユニットとの高さ及び位置合わせとが合致するように配置する。ここで、自動ローダに隣接して配置された止めユニット６５又は６６のロックボルト７０を手で持ち上げる。その後ニードルボード２を自動ローダ内に押し込む。このときロックボルト７０は、ロックボルト７０の面がニードルボード２の縁の上に着座することができるまで持ち上げられる必要がある。
【００３４】
ニードルボードは、水平位置とは異なる適切な位置にて、又は傾斜位置にて運搬カート１に出し入れされ得る。このような傾斜位置は、ハンドルホイール３７を作動させることにより選択的に調節されることができる。
【００３５】
本発明に従うニードルボード２のための運搬カート１には収容装置８が設けられ、収容装置８は、収容装置８の高さが調節されることができ、少なくとも１つの軸を中心として枢動されることができ、且つ、収容装置と共に移動されることができる保護カバーと関連付けられるように設計されている。様々な調節オプション部品、ガイド及び止め装置が、大きく且つ重いニードルボードも安全且つ慎重に取り扱うことができるように設けられる。
【図面の簡単な説明】
【００３６】
【図１】本発明に従う運搬カートの概略斜視図であり、前記カートの収容装置が第１の水平位置にある様子を示す。
【図２】図１に示した運搬カートの概略斜視図であり、前記カートの収容装置が第２の水平位置にある様子を示す。
【図３】図１に示した運搬カートの収容装置の保持位置における斜視図である。
【図４】ニードルボードが解放位置にある状態の収容装置の斜視図である。
【図５】保護カバー及びニードルボードを有する収容装置の独立の斜視図である。
【図６】収容装置の部分概略側面図である。
【図７】（Ａ）から（Ｄ）は、ニードルボードのためのロック手段としての係合装置の種々のロック位置における状態を別々に示した概略図である。
【図８】収容装置を枢動させるための作動装置の原理を示す概略図である。
【符号の説明】
【００３７】
１  運搬カート
２  ニードルボード
３  フェルト製造針
４，５  ニードルボードの短縁
６，７  ニードルボードの長縁
８  収容装置
９  ベースフレーム
１０  足部
１１  支柱
１２，１３  サイドレール
１４，１５，１６，１７  ローラ、回転ホイール
１８，１９，２０  ハンドル
２１  調節機構
２２  第１軸
２３  第２軸
２４  支持部
２５  中空シャフト
２６  支持部材
２７  シャフト
２８，２９  ベベルギヤ
３０  シャフト
３１，３２  アーム
３３，３４  チェーンホイール
３５  チェーン
３６  ギヤドライブ
３７  作動装置、ハンドホイール
３８，３９  チェーンホイール
４０  チェーン
４１  ギヤドライブ
４２  作動装置、ハンドホイール
４３  フレーム
４４，４５  支持アーム
４６  収容要素
４７，４８  プロファイルレール
４９  ロック手段
５０  軸
５１  ロック装置
５２，５３  脚
５４，５５  ロックピン
５６，５７  収容装置
５８  回転ノブ
５９，６０  アーム
６１，６２  クランプレバー
６３，６４  スケール
６５，６６  止めユニット
６７，６８  ロック手段
６９  ガイド体
７０  ロックボルト
７１  挿入方向
７２  ばね手段
７３  傾斜面
７４  保護カバー
７５，７６  管
７７，７８，７９  保護カバーの部分
８０  フレーム
８１  クランプねじ
【図１】
0004772093.tif 000002
【図２】
0004772093.tif 000003
【図３】
0004772093.tif 000004
【図４】
0004772093.tif 000005
【図５】
0004772093.tif 000006
【図６】
0004772093.tif 000007
【図７】
0004772093.tif 000008
【図８】
0004772093.tif 000009